(57)【特許請求の範囲】
【請求項１】
活魚介類を移送するための活魚介類の移送装置であって、
前記活魚介類を収容可能に形成され、かつ、曳航可能に形成された袋状部と、
この袋状部に取り付けられ、気体の注入によって膨脹可能に形成され、膨脹の際に前記袋状部における所定の部位を膨脹方向に展張させることによって、水中における前記袋状部内に前記活魚介類の収容スペースを確保させることが可能に形成された展張部材と
を備えたことを特徴とする活魚介類の移送装置。
【請求項２】
前記展張部材が、膨脹状態において前記袋状部に浮力を付与するように形成されていること
を特徴とする請求項１に記載の活魚介類の移送装置。
【請求項３】
前記袋状部における所定の部位が、前記袋状部における水中において最上面となる部位とされ、前記展張部材が、前記最上面となる部位の周縁部またはその近傍に取り付けられていること
を特徴とする請求項２に記載の活魚介類の移送装置。
【請求項４】
前記展張部材が、前記袋状部における所定の部位の周縁部またはその近傍に、当該周縁部の周方向に沿って複数個に分割された状態として取り付けられていること
を特徴とする請求項１乃至請求項３のいずれか１項に記載の活魚介類の移送装置。
【請求項５】
前記袋状部の所定の位置に着脱可能に配設され、前記袋状部内と前記活魚介類が漁獲された移送元の網部内とを連通させることによって、前記移送元の網部内の前記活魚介類を前記袋状部内へと誘導することが可能に形成された連通部材を備えたこと
を特徴とする請求項１乃至請求項４のいずれか１項に記載の活魚介類の移送装置。
【請求項６】
前記袋状部の生地が、移送時において水流の袋状部内への流入を低く抑えることのできる素材によって形成されていること
を特徴とする請求項１乃至請求項５のいずれか１項に記載の活魚介類の移送装置。
【請求項７】
前記袋状部の生地が、活魚介類のストレスを軽減することができる色に着色されていること
を特徴とする請求項１乃至請求項６のいずれか１項に記載の活魚介類の移送装置。
【発明の詳細な説明】
【技術分野】
【０００１】
本発明は、活魚介類の移送装置に係り、特に、活魚介類を移送元から移送先へと移送するのに好適な活魚介類の移送装置に関する。
【背景技術】
【０００２】
従来から、旋網等の漁法によって漁獲された魚介類を出荷調整等のために養殖生簀等の移送先に生きた状態で（活魚介類として）移送することが行われていた。
【０００３】
このような活魚介類の移送に用いられる移送装置については、従来から種々の提案がなされており、本出願人によっても、非特許文献１に示すような曳航生簀が提案されている。
【０００４】
ここで、非特許文献１においては、曳航生簀を展張させて活魚介類の収容スペースを確保するために、曳航生簀における生簀網に取り付けられた複数本の樹脂パイプを利用するようになっていた。
【０００５】
すなわち、非特許文献１においては、生簀網に、複数の樹脂パイプを水中においてはしご形状を呈することが可能な状態として取り付けることによって、曳航生簀を水中において展張することが可能とされていた。
【０００６】
【非特許文献１】特願２００６−２３８９６６号
【発明の開示】
【発明が解決しようとする課題】
【０００７】
非特許文献１に記載の曳航生簀は、軽量の樹脂パイプを利用することによって、活魚介類の収容スペースを簡便な作業によって安定的に確保し、また、曳航生簀をその使用開始場所（移送元）まで運搬する際の作業性を向上させ、さらに、移送先において使用後の曳航生簀を回収する際の作業性を向上させることが可能とされていた。さらに、非特許文献１に記載の曳航生簀は、その使用開始場所への運搬の際や回収後の保管の際の状態（非使用状態）におけるコンパクト化を図ることができ、これにともなって、活魚介類の収容や曳航の際の状態（使用状態）における大容積化を図ることが可能とされていた。
【０００８】
本出願人は、このような曳航生簀の利点をさらに向上すべく本発明をなすに至った。
【０００９】
すなわち、本発明は、活魚介類の収容スペースを確保する際の作業性、使用開始場所への移送装置の運搬の際の作業性、および、使用後の移送装置の回収の際の作業性をそれぞれ向上させることができ、さらに、軽量化ならびに非使用状態におけるコンパクト化を図ることができ、また、移送時において活魚介類が疲弊することを防止して活魚介類の鮮度を高く保持することのできる活魚介類の移送装置を提供することを目的とするものである。
【課題を解決するための手段】
【００１０】
前述した目的を達成するため、本発明の請求項１に係る活魚介類の移送装置は、活魚介類を移送元から移送先へと移送するための活魚介類の移送装置であって、前記活魚介類を収容可能に形成され、かつ、曳航可能に形成された袋状部と、この袋状部に取り付けられ、気体の注入によって膨脹可能に形成され、膨脹の際に前記袋状部における所定の部位を膨脹方向に展張させることによって、水中における前記袋状部内に前記活魚介類の収容スペースを確保させることが可能に形成された展張部材とを備えたことを特徴としている。
【００１１】
そして、このような構成によれば、展張部材を膨脹させることによって袋状部における所定の部位を展張させることができるので、活魚介類の収容スペースを確保する際の作業性を向上させることができ、また、非使用状態においては、展張部材を収縮状態にすることによって袋状部を自由に変形させて扱うことができるので、使用開始場所への移送装置の運搬の際の作業性、および、使用後の移送装置の回収の際の作業性をそれぞれ向上させることができ、さらに、軽量化ならびに非使用状態におけるコンパクト化を図ることができる。
【００１２】
また、請求項２に係る活魚介類の移送装置は、請求項１において、前記展張部材が、膨脹状態において前記袋状部に浮力を付与するように形成されていることを特徴としている。
【００１３】
そして、このような構成によれば、膨脹状態の展張部材が袋状部に浮力を付与することができるので、展張部材を浮子としても機能させることができ、袋状部の安定的な曳航および部品点数の削減を図ることができる。
【００１４】
さらに、請求項３に係る活魚介類の移送装置は、請求項２において、前記袋状部における所定の部位が、前記袋状部における水中において最上面となる部位とされ、前記展張部材が、前記最上面となる部位の周縁部またはその近傍に取り付けられていることを特徴としている。
【００１５】
そして、このような構成によれば、展張部材を、活魚介類の収容スペースの確保および袋状部への浮力の付与のために最適な位置に取り付けることができるので、実用性を向上させることができる。
【００１６】
さらにまた、請求項４に係る活魚介類の移送装置は、請求項１乃至請求項３のいずれか１項において、前記展張部材が、前記袋状部における所定の部位の周縁部またはその近傍に、当該周縁部の周方向に沿って複数個に分割された状態として取り付けられていることを特徴としている。
【００１７】
そして、このような構成によれば、例えば、１個の展張部材が故障したとしても、残余の展張部材によって袋状部の展張状態を保持することができる場合もあるので、耐久性を向上させることができる。
【００１８】
また、請求項５に係る活魚介類の移送装置は、請求項１乃至請求項４のいずれか１項において、前記袋状部の所定の位置に着脱可能に配設され、前記袋状部内と前記活魚介類が漁獲された移送元の網部内とを連通させることによって、前記移送元の網部内の前記活魚介類を前記袋状部内へと誘導することが可能に形成された連通部材を備えたことを特徴としている。
【００１９】
そして、このような構成によれば、連通部材によって活魚介類を移送元の網部内から袋状部内へと水中において誘導することができるので、活魚介類に与える負担を軽減しつつ活魚介類を袋状部内に収容することができ、ひいては、活魚介類の鮮度を適正に維持することができる。
【００２０】
また、請求項６に係る活魚介類の移送装置は、請求項１乃至請求項５のいずれか１項において、前記袋状部の生地が、移送時において水流の袋状部内への流入を低く抑えることのできる素材によって形成されていることを特徴としている。
【００２１】
そして、このような構成によれば、移送時において水流の袋状部内への流入を低く抑えることのできるので、水中における外部からの水圧の作用による袋状部２の変形を抑制するとともに、袋状部内への水流の流入を極めて低く抑えることができるので、活魚介類のストレスを原因とする疲労や斃死を抑制して活魚介類の鮮度を高く保持することができる。
【００２２】
また、請求項７に係る活魚介類の移送装置は、請求項１乃至請求項６のいずれか１項において、袋状部の生地が、活魚介類のストレスを軽減することができる色に着色されていることを特徴としている。
【００２３】
そして、このような構成によれば、袋状部の内側を例えば緑色や暗寒色に着色してあるので、袋状部内の活魚介類のストレスをより一層軽減することができ、ひいては、活魚介類の鮮度をさらに適切に維持することができる。
【発明の効果】
【００２４】
本発明に係る活魚介類の移送装置によれば、活魚介類の収容スペースを確保する際の作業性、使用開始場所への移送装置の運搬の際の作業性、および、使用後の移送装置の回収の際の作業性をそれぞれ向上させることができ、さらに、軽量化ならびに非使用状態におけるコンパクト化を図ることができ、また、移送時において活魚介類が疲弊することを防止して活魚介類の鮮度を高く保持することができるという優れた効果を奏する。
【発明を実施するための最良の形態】
【００２５】
以下、本発明に係る活魚介類の移送装置の実施形態について、図１乃至図５を参照して説明する。
【００２６】
図１に示すように、本実施形態における活魚介類の移送装置（以下、移送装置と略称する）１は、活魚介類の収容スペースを確保することが可能とされた袋状部２を有しており、この袋状部２は、全長方向に長尺に形成されている。
【００２７】
この袋状部２は、その全長方向における一方の端部（以下、前端部と称する）側の所定範囲の部位（以下、前端部側部位２ａと称する）が、前端部に向かって内周が小さくなる中空略四角錐台形状に形成されている。
【００２８】
また、袋状部２は、その全長方向における他方の端部（以下、後端部と称する）側の所定範囲の部位（以下、後端部側部位２ｃと称する）が、後端部に向かって内周が小さくなる中空略四角錐形状に形成されている。
【００２９】
さらに、袋状部２は、前端部側部位２ａと後端部側部位２ｃとに挟まれた中央の部位（以下、中央側部位２ｂと称する）が、略四角筒形状に形成されており、この中央側部位２ｂは、収容スペースの大部分を確保するように全長方向における最も広い範囲を占めている。
【００３０】
ただし、図１に示す袋状部２の形状は、水中において袋状部２内に収容スペースが確保された際の形状である。
【００３１】
また、図１に示すように、前端部側部位２ａにおける前端部には、開口部３が形成されており、主としてこの開口部３を通して袋状部２内に水が流入するようになっている。この開口部３の形状は、図１に示すような略四角形状であってもよく、それ以外の形状（例えば、円形）であってもよい。なお、袋状部２には、開口部３のみでなく袋状部２の各面を水が浸透する生地、例えば、網地、布地、キャンバス地等によって形成してもよい。
【００３２】
本実施形態においては、このような袋状部２として、水中における外部からの水圧の作用による袋状部２の変形を抑制して袋状部２内の活魚介類の疲労や斃死を抑制する観点から、キャンバス地のような流水抵抗に優れた内側素材２ｅによって内側の袋状部材を形成しており、更に、キャンバス地からなる内側素材２ｅの外側に網地からなる外側素材２ｆを外張りするように配設して水中における形状安定性を向上させるようにしている。
【００３３】
また、袋状部２の内側を緑色や暗寒色に着色すれば、袋状部２内の活魚介類のストレスを軽減することができ、ひいては、活魚介類の鮮度をさらに適切に維持することができる。
【００３４】
なお、後端部側部位２ｃにおける後端部にも開口部を形成するようにしてもよい。
【００３５】
さらに、本実施形態において、袋状部２の外周（本実施形態においては開口部３の近辺）には、複数本の曳航綱４がそれらの長手方向における一方の端部を介して取り付けられており、これらの曳航綱４の長手方向における他方の端部は、漁船等の動力源に連結されるようになっている。なお、図１においては、前端部側部位２ａと中央側部位２ｂとの境界位置の角部および開口部３の角部に曳航綱４が取り付けられている。そして、袋状部２は、開口部３を曳航方向（前方）に向けた状態として曳航綱４を介して動力源に連結されることによって、動力源によって曳航可能とされている。なお、図２は、動力源としての漁船６の船尾に曳航綱４を介して袋状部２（移送装置１）を連結した上で、袋状部２を漁船６によって曳航している状態を示している。
【００３６】
そして、本実施形態における移送装置１は、袋状部２における所定の部位としての袋状部２における水中において最上面となる部位（換言すれば、中央側部位２ｂにおける上面）を展張するための展張部材５を有している。
【００３７】
より具体的には、図１に示すように、中央側部位２ｂにおける上面の周縁部には、展張部材５が、当該周縁部の周方向に沿って４個の展張部材５Ａ〜５Ｄに分割された状態として取り付けられている。
【００３８】
これら４個の展張部材５Ａ〜５Ｄは、個別に空気の注入および排出が可能とされており、これら各展張部材５Ａ〜５Ｄは、空気が注入された際には、膨脹することによって棒形状を呈するようになっている。
【００３９】
なお、これら４個の展張部材５Ａ〜５Ｄのうちの２個の展張部材５Ａ、５Ｂは、膨脹状態において袋状部２の全長方向に長尺かつ互いに平行となり、残りの２個の展張部材５Ｃ、５Ｄは、膨脹状態において袋状部２の横幅方向に長尺かつ互いに平行となるように形成されている。
【００４０】
したがって、これら４個の展張部材５Ａ〜５Ｄが膨脹することにより、各展張部材５Ａ〜５Ｄは、全体的に略四角形状を呈するようになっている。
【００４１】
この結果、中央側部位２ｂにおける上面は、展張部材５Ａ〜５Ｄの膨脹にともなって、膨脹方向すなわち全長方向および横幅方向に展張されて全体的に略四角形状を呈するようになっている。
【００４２】
また、各展張部材５Ａ〜５Ｄは、膨脹状態において、袋状部２に浮力を付与することが可能とされている。
【００４３】
このような本実施形態における移送装置１によれば、展張部材５Ａ〜５Ｄを膨脹させるといった簡便な作業のみによって中央側部位２ｂにおける上面を全長方向および横幅方向に展張させることができるので、活魚介類の収容スペースを確保する際の作業性を向上させることができる。
【００４４】
また、本実施形態における移送装置１によれば、非使用状態においては、内部の空気を排出させて展張部材５Ａ〜５Ｄを収縮状態にすることによって可撓性を有する袋状部２を自由に変形（折り畳み等）させて扱うことができるので、移送装置１を漁船に積み込んで使用場所（例えば、旋網の漁場）まで運搬する際の作業性および使用後の移送装置１を漁船上に回収する際の作業性をそれぞれ向上させることができ、さらに、軽量化ならびに非使用状態におけるコンパクト化を図ることができる。また、非使用状態におけるコンパクト化を図ることができれば、逆に、使用状態においては大容積となるような袋状部２を運搬および回収することができるので、大容積の袋状部２を用いて活魚介類の移送効率を向上させることができる。
【００４５】
さらに、本実施形態における移送装置１によれば、膨脹状態の展張部材５Ａ〜５Ｄが袋状部２に浮力を付与することができるので、展張部材５Ａ〜５Ｄを浮子としても機能させることができ、袋状部２の安定的な曳航を図ることができる。さらに、展張部材５Ａ〜５Ｄが袋状部２に浮力を付与することができれば、袋状部２に取り付けられる後述する浮子７の個数を抑えることができ、部品点数の削減を図ることができる。
【００４６】
さらにまた、本実施形態における移送装置１によれば、展張部材５Ａ〜５Ｄを、活魚介類の収容スペースの確保および袋状部２への浮力の付与のために最適な位置に取り付けることができるので、実用性を向上させることができる。
【００４７】
また、本実施形態における移送装置１によれば、展張部材を中央側部位２ｂにおける上面の周縁部に複数個に分割された状態として設けることにより、周縁部に沿った枠状の１個の展張部材を設ける場合に比べて耐久性を向上させることができる。すなわち、本実施形態によれば、例えば、４個の展張部材５Ａ〜５Ｄのうちの１個が故障したとしても、残余の３個の展張部材によって中央側部位２ｂにおける上面の展張状態をある程度保持することも可能である。また、４個の展張部材５Ａ〜５Ｄを、それぞれ長手方向に複数に分割したり、細い展張部材を束ねて太い展張部材とするように分割してもよい。
【００４８】
さらに、本実施形態における移送装置１は、前端部側部位２ａが開口部３側に向かって内周が小さくなるように形成されているため、袋状部２内における流速を有効に低減することができ、活魚介類の負担を軽減することができる。
【００４９】
上記構成に加えて、さらに、前端部側部位２ａにおける上面の縁部、中央側部位２ｂにおける上面、および後端部側部位２ｃにおける上面の縁部には、複数個の浮子７が取り付けられており、これらの浮子７は、展張部材５Ａ〜５Ｄとともに袋状部２に浮力を付与するようになっている。
【００５０】
また、図３に示すように、袋状部２における下面には、鉛入りロープ８が配設されており、この鉛入りロープ８は、水中において沈子として機能して、袋状部２の側面を沈降方向に展張させるようになっている。なお、鉛入りロープ８は、例えば、ナイロン製の中空のロープの内部に鉛を点在させることによって形成するようにしてもよい。また、鉛入りロープ８とは異なる構成の沈子を配設するようにしてもよい。
【００５１】
そして、本実施形態における移送装置１は、図４に示すように、袋状部２の所定の位置としての開口部３に着脱可能とされた連通部材としての袋状部側廊下網１０を有している。この袋状部側廊下網１０は、水中において略四角筒形状を呈する網本体１０ａと、水中において網本体１０ａに浮力を付与する浮子１０ｂと、水中において網本体１０ａを沈降方向に展張する鉛入りロープ１０ｃとを有している。この袋状部側廊下網１０は、例えば、紐止めやファスナー止め等によって開口部３に取り付け可能とされていてもよい。
【００５２】
そして、このような袋状部側廊下網１０は、図４に示すように、移送装置１の使用開始場所としての例えば旋網の漁場において、袋状部２内と移送元の網部としての旋網魚捕部１１内とを連通させるようになっている。
【００５３】
なお、図４においては、旋網魚捕部１１に、袋状部側廊下網１０とほぼ同一構成の旋網側廊下網１２を連結するとともに、この旋網側廊下網１２と袋状部側廊下網１０とをファスナー止め等の連結方法（手段）によって連結することによって、袋状部２内と旋網魚捕部１１内とを連通させるようになっている。ただし、作業性に影響がなければ、袋状部側廊下網１０を旋網魚捕部１１に直接連結することによって、袋状部２内と旋網魚捕部１１内とを連通させるようにしてもよい。
【００５４】
このような袋状部側廊下網１０によれば、旋網魚捕部１１をすぼめることにより、旋網魚捕部１１内の活魚介類を袋状部側廊下網１０を通して旋網魚捕部１１内から袋状部２内へと円滑に誘導することができるので、活魚介類に与える負担を軽減することができる。このとき、集魚光を利用することによって活魚介類の誘導をさらに円滑に行うようにしてもよい。
【００５５】
なお、上記構成の他にも、例えば、袋状部２における後端部側部位２ｃに、曳航時において曳航方向に抗する方向に流水抵抗を受ける非特許文献１と同様のシーアンカを取り付けて曳航時における袋状部３の形状安定性を向上させるようにしてもよい。
【００５６】
次に、本実施形態における移送装置１の作用について説明する。
【００５７】
本実施形態においては、まず、図５のステップ１（ＳＴ１）においては、展張部材５Ａ〜５Ｄに空気が注入されていない状態（収縮状態）の移送装置１を漁船に積み込む。このとき、展張部材５Ａ〜５Ｄはほぼ自由に撓むことができるため、従来の樹脂パイプを用いる場合よりも、移送装置１を漁船に容易に積み込むことができる。このとき、袋状部２の開口部３には、予め袋状部側廊下網１０を取り付けておくようにしてもよい。
【００５８】
次いで、ステップ２（ＳＴ２）においては、漁船に積み込んだ移送装置１を、漁船によって活魚介類の移送元となる旋網の漁場まで運搬する。
【００５９】
次いで、ステップ３（ＳＴ３）においては、旋網の漁場において、旋網魚捕部１１内に活魚介類（例えば、マアジやゴマ鯖等）を漁獲する。この漁獲は、移送装置１を運搬、曳航する漁船とは別の漁船（網船）によって行うようにしてもよいことは勿論である。
【００６０】
次いで、ステップ４（ＳＴ４）においては、漁船に旋網魚捕部１１の一部である浮子方を取り込み、取り込まれた浮子方における所定の位置（ファスナー等によって開口を開くことが可能な位置）に旋網側廊下網１２を連結し、この旋網側廊下網１２を、袋状部２に取り付けられた袋状部側廊下網１０と連結する。これにより、袋状部２内と旋網魚捕部１１内とが連通される。
【００６１】
次いで、ステップ５（ＳＴ５）においては、移送装置１を旋網魚捕部１１の浮子方とともに海中に繰り出すとともに、展張部材５Ａ〜５Ｄに圧縮空気を注入する。これにより、袋状部２における中央側部位２ｂの上面が全長方向および横幅方向に展張される。また、このとき、袋状部２に取り付けられた鉛入りロープ８によって、袋状部２の側面が沈降方向に展張される。さらに、このとき、袋状部２内には、海水が流入するため、袋状部２は、全体的に全長方向、横幅方向および沈降方向に展張されることになる。
【００６２】
次いで、ステップ６（ＳＴ６）においては、袋状部側廊下網１０および旋網側廊下網１２を介して旋網魚捕部１１内から袋状部２内へと活魚介類を誘導する。このとき、旋網魚捕部１１を徐々にすぼめたり、集魚光を用いることによって、活魚介類の誘導を円滑に行わせることができる。
【００６３】
そして、袋状部２内への活魚介類の誘導が完了した後には、ステップ７（ＳＴ７）に示すように、漁船によって移送装置１を曳航することによって、袋状部２内の活魚介類を移送先へと移送する（図２参照）。開口部３の末端開口は網等によって閉塞して活魚介類の逃避を防止するようにするとよい。
【００６４】
本実施形態においては、袋状部２がキャンバス地のような流水抵抗に優れた内側素材２ｅによって形成されているので、水中における外部からの水圧の作用による袋状部２の変形を抑制するとともに、袋状部２内への水流の流入を極めて低く抑えることができるので、活魚介類のストレスを原因とする疲労や斃死を抑制して活魚介類の鮮度を高く保持することができる。また、袋状部２は、キャンバス地（２ｅ）の外側に外張りの網地からなる外側素材２ｆを配設することによって水中における形状安定性を向上させることができ、更に内側のキャンバス地（２ｅ）が擦れて破損することを有効に防止することができる。
【００６５】
また、本実施形態においては、袋状部２の内側を緑色や暗寒色に着色してあるので、袋状部２内の活魚介類のストレスをより一層軽減することができ、ひいては、活魚介類の鮮度をさらに適切に維持することができる。
【００６６】
次いで、ステップ８（ＳＴ８）においては、移送装置１を曳航した漁船が移送先である図示しない小割生簀の設置場に到着すると、小割生簀に袋状部２を連結して、袋状部２内の活魚介類を小割生簀へと移すことによって、活魚介類の移送が完了する。
【００６７】
最後に、ステップ９（ＳＴ９）においては、展張部材５Ａ〜５Ｄから空気を排出させつつ、使用後の移送装置１を漁船上に引き上げる。このとき、空気が排出されて展張部材５Ａ〜５Ｄが収縮されることによって、袋状部２を自由に変形して扱うことができるため、移送装置１の回収を円滑に行うことができる。
【００６８】
したがって、本実施形態によれば、展張部材５Ａ〜５Ｄを膨脹させることによって袋状部２を展張させることができるので、活魚介類の収容スペースを確保する際の作業性を向上させることができる。また、非使用状態においては、展張部材５Ａ〜５Ｄを収縮状態にすることによって袋状部２を自由に変形させて扱うことができるので、使用場所への移送装置１の運搬の際の作業性、および、使用後の移送装置１の回収の際の作業性をそれぞれ向上させることができ、さらに、軽量化ならびに非使用状態におけるコンパクト化を図ることができる。
【００６９】
なお、本発明は、前述した実施の形態に限定されるものではなく、必要に応じて種々の変更が可能である。
【００７０】
例えば、前述した実施形態においては、移送装置１を旋網漁業に用いていたが、本発明はこのような構成に限定するものではなく、例えば、定置網や棒受け網等の他の漁法にも有効に適用することができる。
【００７１】
また、前述した実施形態においては、袋状部側廊下網１０を開口部３に連結していたが、このような構成に限定されるものではなく、袋状部２における開口部３以外の位置（例えば、中央側部位２ｂの側面部分や後端部側部位２ｃ部分）に袋状部側廊下網１０を連結するようにしてもよい。
【００７２】
さらに、前述した実施形態においては、展張部材５を４分割配置していたが、必要に応じて分割数をさらに増やすようにしてもよい。
【図面の簡単な説明】
【００７３】
【図１】本発明に係る活魚介類の移送装置の実施形態を示す斜視図
【図２】本発明に係る活魚介類の移送装置の実施形態において、漁船による曳航状態を示す図
【図３】本発明に係る活魚介類の移送装置の実施形態を示す下面図
【図４】本発明に係る活魚介類の移送装置の実施形態において、袋状部内と旋網魚捕部内との連通方法を模式的に示す図
【図５】本発明に係る活魚介類の移送装置の実施形態を示すフローチャート
【符号の説明】
【００７４】
１  移送装置
２  袋状部
５  展張部材
【図１】
0005061389.tif 000002
【図２】
0005061389.tif 000003
【図３】
0005061389.tif 000004
【図４】
0005061389.tif 000005
【図５】
0005061389.tif 000006